(57)【要約】【課題】  廊下灯やベッドライト、ベッドラジオ等の、ベッドの近傍に存在している外部機器へ、インターホン子機を介して電力を供給し、外部機器と連携できるインターホンシステムを提供する。【解決手段】  インターホン子機１は、外部機器３へ電力を供給する給電コネクタ１４と、インターホン親機２から電力を受電する受電部１２と、前記給電コネクタに接続された１以上の外部機器３へ電力を供給する給電制御部１３を有し、インターホン親機２は、インターホン子機１の各々へ電力を供給する電流計付給電制御部２２と、計測した電流値を基に各外部機器３の動作状況に係る情報を表示する手段を有する。【選択図】    図１
2015092647.tif 000002
【特許請求の範囲】
【請求項１】
１以上のインターホン子機と、前記インターホン子機と有線接続されるインターホン親機を含むインターホンシステムであって、
前記インターホン子機は、所定の外部機器へ電力を供給する１以上の給電コネクタと、前記インターホン親機から電力を受電する電力受電手段と、前記給電コネクタに接続された１以上の外部機器へ電力を供給する対外部機器給電手段と、を有し、
前記インターホン親機は、前記インターホン子機の各々へ前記インターホン子機および前記外部機器を動作させる電力を供給する対子機給電手段と、前記インターホン子機の各々へ供給している電流値を計測し、前記計測した電流値を基に前記外部機器の各々の動作状況に係る情報を表示する外部機器動作状況表示手段と、を有することを特徴とする給電機能を有するインターホンシステム。
【請求項２】
請求項１に記載のインターホンシステムであって、
前記インターホン子機が備える対外部機器給電手段は、前記インターホン子機が備える呼出ボタンまたは呼出ボタン以外のボタンへの予め定められた特定操作が為された場合、または前記インターホン親機から予め定められた特定コマンドを受信した場合に、前記特定操作または特定コマンドに応じて、所定の給電コネクタまたは全ての給電コネクタへの給電を開始もしくは停止することを特徴とする給電機能を有するインターホンシステム。
【請求項３】
請求項２に記載のインターホンシステムであって、
前記インターホン親機は、前記インターホン子機の各々へ電力を供給する給電スケジュールを登録する給電スケジュール登録手段をさらに有し、
前記給電スケジュールに登録されている給電の開始または停止のタイミングが到来する毎に、給電の開始または停止に係る特定コマンドを、当該インターホン子機へ送信することを特徴とする給電機能を有するインターホンシステム。
【請求項４】
請求項１〜３のいずれかに記載のインターホンシステムにおいて、
前記給電コネクタに接続される少なくとも１つの外部機器は、照明機器であって、
前記インターホン子機が備える対外部機器給電手段は、自インターホン子機が前記インターホン親機を呼出した場合または前記インターホン親機が自インターホン子機を呼出した場合に、前記照明機器が接続された給電コネクタへ電力を供給することを特徴とする給電機能を有するインターホンシステム。
【発明の詳細な説明】
【技術分野】
【０００１】
本発明は、インターホン子機を介してインターホン子機の近傍に存在する外部機器へ電力を供給する機能を有するインターホン子機およびインターホン親機に関する。
【背景技術】
【０００２】
近年、病院や介護施設等において、インターホン機能や電話機能を応用した、看護士や介護士を呼出して通話するナースコールシステムが普及している。
【０００３】
このナースコールシステムの操作性を改善する技術として、呼出ボタンにナースコール子機（インターホン子機）からの給電により、呼出ボタンの夜間の位置表示を行なう夜間表示灯を設ける技術がある（例えば、特許文献１）。
【０００４】
しかしながら、特許文献１に記された技術は、呼出ボタン自身の位置を表示するだけの夜間表示灯の点灯に止まっており、周辺を照らす廊下灯やベッドライト等の、インターホン子機の近傍に存在する機器と連携する利用形態への配慮が不足している。
【先行技術文献】
【特許文献】
【０００５】
【特許文献１】特開平８−１７３４８７号公報
【発明の概要】
【発明が解決しようとする課題】
【０００６】
そこで、本発明の課題は、インターホン子機に、廊下灯やベッドライト、さらにはベッドラジオ等の、ベッドの近傍に存在している外部機器へ、インターホン子機を介して電力を供給し、外部機器と連携できる給電機能を有するインターホンシステムを提供することにある。
【課題を解決するための手段】
【０００７】
上記課題を解決するために、本発明は、１以上のインターホン子機と、前記インターホン子機と有線接続されるインターホン親機を含むインターホンシステムであって、前記インターホン子機は、所定の外部機器へ電力を供給する１以上の給電コネクタと、前記インターホン親機から電力を受電する電力受電手段と、前記給電コネクタに接続された１以上の外部機器へ電力を供給する対外部機器給電手段と、を有し、前記インターホン親機は、前記インターホン子機の各々へ前記インターホン子機および前記外部機器を動作させる電力を供給する対子機給電手段と、前記インターホン子機の各々へ供給している電流値を計測し、前記計測した電流値を基に前記外部機器の各々の動作状況に係る情報を表示する外部機器動作状況表示手段と、を有することを特徴とする。
【発明の効果】
【０００８】
本発明によれば、インターホン子機を介して、インターホン子機の近傍に存在する外部機器へ電力を供給するので、その分、外部機器用の電源コンセントが不要になると共に、インターホン親機側から外部機器をオン／オフ制御することや、外部機器の使用状況を管理することが可能であり、病院や介護施設等に好適な給電機能を有するインターホンシステムを提供出来る。
【０００９】
例えば、外部機器として廊下灯と連携した場合、呼出ボタン押下と連動して廊下灯へ給電すれば、看護士等の駆けつけをサポートできる。
【００１０】
また、外部機器としてベッドライトやベッドラジオと連携した場合、それらへの給電状況を基に各入院患者の就寝状況を把握することや、それらの機器の電源の付けっ放しを防止すること等、看護士や介護士等の負担を軽減できる。
【図面の簡単な説明】
【００１１】
【図１】本発明に係るインターホン子機の内部ブロック構成図
【図２】本発明に係るインターホン親機の内部ブロック構成図
【図３】本発明に係るインターホン子機の動作フローチャート図
【図４】本発明に係るインターホン親機の動作フローチャート図
【発明を実施するための形態】
【００１２】
以下、図面を用いて本発明の実施形態について説明する。なお、本実施形態においては、１台のインターホン親機（親機と略すこともある）と、Ｎ台のインターホン子機（子機と略すこともある）と、３種類の外部機器（ＬＥＤ廊下灯，ＬＥＤベッドライト，ベッドラジオ）と、Ｍ台の応対者端末から成るシステム構成を例に説明するが、これらの数は任意である。
【００１３】
図１は、本発明に係るインターホン子機の内部ブロック構成図である。インターホン子機１は、インターホン親機２に帰属し、インターホン親機２またはインターホン親機２に帰属する応対者端末４を呼出す、またはインターホン親機２からの呼出信号を受信する装置であって、入院患者のベッド等に装着されている。
【００１４】
インターホン子機１は、子機制御部１０、親機対応部１１、受電部１２、給電制御部１３、給電コネクタ１４、呼出ボタン１５、復旧ボタン１６、通話部１７、表示部１８から構成されている。
【００１５】
子機制御部１０は、子機１の全体を制御する手段である。親機対応部１１は、親機２との接続インターフェースであって、親機２と子機制御部１０との間で信号を中継する手段である。また、親機対応部１１は、親機２から送電されてくる電力を受電部１２へ供給する。
【００１６】
受電部１２は、親機対応部１１を介して親機２から受電した電力を、子機制御部１０および給電制御部１３へ供給する手段である。給電制御部１３は、受電部１２から供給された電力を、子機制御部１０からの指示に従って、給電コネクタ１４の各端子へ給電する手段である。給電コネクタ１４は、外部機器３へ電力を供給するケーブルと接続するコネクタである。
【００１７】
呼出ボタン１５は、入院患者等が看護士を呼び出す際等に押下するボタンスイッチである。復旧ボタン１６は、呼出し動作を停止する、またはその他の動作をリセットするボタンスイッチである。通話部１７は、マイク／スピーカ（図示せず）を含む通話手段である。表示部１８は、子機１の動作状態や設定状態を表示するＬＥＤやＬＣＤによる表示手段である。
【００１８】
本実施形態の例では、外部機器３として、廊下灯３−１、ベッドライト３−２、ベッドラジオ３−３を例に説明する。これらの機器は１例であって、電源条件（電圧，電力）が許容する範囲であれば、各種の外部機器を接続可能である。
【００１９】
廊下灯３−１は、廊下や部屋内の足元を照らす照明灯であり、本実施形態において、呼出ボタン１５が押下された場合に、給電するようにセットされており、夜間の看護士等の駆けつけをサポートする。廊下灯３−１の光源がＬＥＤであった場合、消費電力が小さく寿命も長いので、子機１と接続する外部機器として好適である。なお、呼出ボタン１５と連動して給電を制御する給電コネクタ１４のポート設定は、例えば、保守者が呼出ボタン１５および復旧ボタン１６を特定操作して、または、親機２側からの制御で、子機制御部１０内のメモリ（図示せず）に設定内容を書き込めばよい。
【００２０】
ところで、ダイオード３１およびダイオード３２は、廊下灯３−１への給電を、スイッチ３０（例えば、壁に設置された手動のスイッチ）からの給電と子機１からの給電の２系統を可能とするためのものであり、スイッチ３０がオフの状態であっても、呼出ボタン１５が押下された子機１からの給電で廊下灯３−１を点灯できる。
【００２１】
ベッドライト３−２は、各ベッドに装着されている、またはベッド近傍に設置されている読書用の照明灯であり、このベッドライト３−２の光源もＬＥＤであると、子機１と接続する外部機器として好適である。ベッドラジオ３−３は、各ベッドに装着されている、またはベッド近傍に設置されているラジオであり、入院患者がイヤホン等により利用可能である。このベッドラジオ３−３の電源も、直流入力型（例えば、ＤＣ１２Ｖ）であると、子機１と接続する外部機器として好適である。
【００２２】
これらの外部機器３への給電は、後述する親機２の給電スケジュール登録部２４に登録されたスケジュールに従って、給電される。即ち、ベッドライト３−２やベッドラジオ３−３を利用できる者は、夜間に読書やラジオリスニングが許可された（給電スケジュール登録部２４に登録された）入院患者等であって、しかも、登録されたスケジュールに従って、外部機器３への給電を自動的にオン／オフすることも可能である。
【００２３】
また、これらの外部機器３の使用状況は、後述する親機２の電流計付給電制御部２２により子機１毎に監視できるので、就寝時間以降にこれらの外部機器３への給電が０または一定値以下であれば、当該入院患者はおとなしく寝ていると推定可能であり、就寝状況の把握に係る夜間の看護士等の作業をサポートできる。
【００２４】
ところで、ベッドライト３−２やベッドラジオ３−３は、ベッドの付属機器として病院側が提供してもよいし、入院患者が持ち込んでもよい。入院患者が持ち込む場合は、給電コネクタ１４に標準的な直流出力インターフェース（例えば、車載機器への給電に使用されるＤＣ１２Ｖのシガーライター）を備えればよい。
【００２５】
図２は、本発明に係るインターホン親機２の内部ブロック構成図である。インターホン親機２は、インターホン子機１および応対者端末４を制御する装置であって、ナースセンター等の看護士や介護士が控えている部屋に設置される。
【００２６】
インターホン親機２は、子機１（１−１〜Ｎ）と応対者端末４（４−１〜Ｍ）との間で呼出信号や通話信号を中継すると共に、給電スケジュール登録部２４に登録されている給電スケジュールに従って、各子機１へ供給する電力を管理する。
【００２７】
インターホン親機２は、親機制御部２０、電源部２１、電流計付給電制御部２２、子機対応部２３、給電スケジュール登録部２４、応対者端末対応部２５、音声信号処理部２６、操作部２７、表示部２８から構成されている。
【００２８】
親機制御部２０は、親機２の全体を制御する手段である。電源部２１は、商用交流１００Ｖのコンセントから入力した交流電圧を直流電圧に変換すると共に、親機２の各部で使用する電圧に変換する手段である。電流計付給電制御部２２は、親機制御部２０からの指示に応じて、子機対応部２３を介して、各子機１への給電制御を実行すると共に、各子機１へ給電する電流値を計測し、計測した電流値を親機制御部２０へ通知する手段である。
【００２９】
子機対応部２３は、子機１との接続インターフェースであって、子機１と親機制御部２０との間で信号を中継すると共に、電流計付給電制御部２２が出力する各子機１（１−１〜Ｎ）への電力を、各子機１へ配電する手段である。
【００３０】
給電スケジュール登録部２４は、各子機１への給電スケジュールを登録する手段である。親機制御部２０は、この給電スケジュール登録部２４を参照し、現在時刻に応じて各子機１への給電を電流計付給電制御部２２へ指示する。なお、給電スケジュール登録部２４への給電スケジュールの登録は、操作部２７を操作して入力してもよいし、パソコン等の情報機器や所定のサーバ（図示せず）から入力するようにしてもよい。
【００３１】
応対者端末対応部２５は、応対者端末４（４−１〜Ｍ）と、親機制御部２０および音声信号処理部２６との間で、信号を中継する手段である。音声信号処理部２６は、応対者端末４（４−１〜Ｍ）と子機１（１−１〜Ｎ）との通話における通話処理を実行する手段である。なお、応対者端末対応部２５と応対者端末４の接続は、有線接続／無線接続のどちらでもよい。
【００３２】
操作部２７は、ボタン（キー）やスイッチから構成され、親機２を操作する手段である。なお、操作部２７は親機２の本体から分離した操作盤であってもよく、操作部２７にマイク／スピーカ（図示せず）を内蔵し、親機２だけで呼出した子機１と通話できるようにしてもよい。
【００３３】
表示部２８は、親機２の動作状態や設定状態を表示するＬＥＤやＬＣＤによる表示手段である。なお、表示部２８は親機２の本体から分離した、大画面ディスプレイ（例えば、４０インチ以上のＬＣＤ）または表示盤であってもよい。
【００３４】
応対者端末４は、親機２を介して、子機１から呼び出される、または子機１を呼び出す端末であって、例えば、看護士等が所持するナースコール用のＰＨＳ端末である。応対者端末４は、端末制御部４０、通話部４１、操作部４２、表示部４３から構成されている。
【００３５】
端末制御部４０は、応対者端末の全体を制御する手段である。通話部４１は、マイク／スピーカ（図示せず）を含む通話手段である。操作部４２は、テンキーやファンクションキー等の複数のボタンスイッチによる、応対者端末４を操作する手段である。表示部４３は、応対者端末４の動作状態や設定状態を表示する表示手段（例えば、ＬＥＤやＬＣＤ）である。
【００３６】
図３は、インターホン子機１の動作フローチャート図である。以下、図１を併用して、子機１の動作フローを説明する。本フローは子機１の電源が投入された状態からスタートし（Ｓ３００）、待機状態において、子機制御部１０は、後述するＳ３１０，Ｓ３２０，Ｓ３３０の各イベントの発生を監視している。
【００３７】
Ｓ３１０において、呼出ボタン１５の押下または親機２側からの呼出信号を受信した場合（Ｓ３１０，ＹＥＳ）、呼出動作と連動するように設定されている、外部機器３−１（廊下灯）が接続されている給電コネクタ１４のポートへの給電を開始し、呼出中を表示部１８に表示し、親機２へ呼出コマンドを送信（呼出ボタン１５が押下された場合）または自子機１の操作者を呼出す（呼出信号を受信した場合）。そして、被呼出側が応答したら、親機２側と自子機１の操作者間の通話処理を実行し（Ｓ３１１）、Ｓ３２０へ進む。Ｓ３１０でＮＯであれば、Ｓ３１１をスキップしてＳ３２０へ進む。
【００３８】
Ｓ３２０において、子機１が備える呼出ボタン１５または復旧ボタン１６への予め定められた特定操作（ダブルクリックや長時間押し、またはそれらの組合せ）があった場合、または親機２から外部機器３への給電に係る特定コマンドを受信した場合（Ｓ３２０，ＹＥＳ）、その特定操作の内容または受信した特定コマンドに応じて外部機器３への給電を開始または停止し（Ｓ３２１）、Ｓ３３０へ進む。Ｓ３２０でＮＯであれば、Ｓ３２１をスキップしてＳ３３０へ進む。
【００３９】
Ｓ３３０において、子機１が備える復旧ボタン１６が押下された場合（Ｓ３３０，ＹＥＳ）、実行中の処理（呼出中表示，通話処理）をリセットすると共に、当該子機１と接続されている全ての外部機器３への給電を停止し（Ｓ３３１）、Ｓ３１０へ戻る。Ｓ３３０でＮＯであれば、Ｓ３３１をスキップしてＳ３１０へ戻る。
【００４０】
図４は、インターホン親機２の動作フローチャート図である。以下、図２を併用して、親機２の動作フローを説明する。本フローは親機２の電源が投入された状態からスタートする（Ｓ４００）。
【００４１】
本フローがスタートすると、親機制御部２０は、電流計付給電制御部２２が各子機１へ供給する電流値を解析し、各外部機器３の動作状態を、親機２の表示部２８、または応対者端末４の表示部４３に表示する（Ｓ４１０）。図１の例において、廊下灯（外部機器３−１）は呼出時以外は消灯（消費電流０）であると共に、親機制御部２０内のメモリ（図示せず）に予め記憶されている、ベッドライト（外部機器３−２）の定格消費電流（例えば、点灯時１００ｍＡ）と、ベッドラジオ（外部機器３−３）の定格消費電流（例えば、動作時５０ｍＡ）と、電流計付給電制御部２２が計測したデータを対比すれば、稼働中の外部機器３の種類を判別できる。消費電流だけでは稼働中の外部機器３の種別の判別が困難であっても、少なくとも外部機器３のいずれかが動作中か否かは判別でき、入院患者等が就寝状態か否かは推定可能である。Ｓ４１０の後、親機制御部２０は、後述するＳ４２０，Ｓ４４０，Ｓ４５０の各イベントの発生を監視する。
【００４２】
Ｓ４２０において、子機１または応対者端末４からの呼出コマンドを受信した場合（Ｓ４２０，ＹＥＳ）、親機制御部２０は、呼出コマンドを送信してきた子機１に対応している応対者端末４のいずれか、または全応対者端末４を呼出す。または、呼出コマンドを送信してきた応対者端末４が指定する子機１のいずれかを呼び出す。そして、被呼出側が応答したら呼出側と被呼出側の通話に係る通話処理を実行し（Ｓ４２１）、Ｓ４４０へ進む。Ｓ４２０でＮＯであれば、Ｓ４２１をスキップしてＳ４４０へ進む。
【００４３】
Ｓ４４０において、応対者端末４からの、給電開始要求信号または給電停止要求信号を受信した場合、または給電スケジュール登録部２４に予め登録しておいた給電スケジュールにおける、給電開始タイミングまたは給電停止タイミングが到来した場合（Ｓ４４０，ＹＥＳ）、応対者端末４から受信した給電開始／停止要求、または到来した給電開始／停止タイミングに応じて、外部機器３への給電を、開始または停止させる特定コマンドを対象の子機１へ送信し（Ｓ４４１）、Ｓ４５０へ進む。Ｓ４４０でＮＯであれば、Ｓ４４１をスキップしてＳ４５０へ進む。
【００４４】
Ｓ４５０において、警報設定された警報すべき外部機器３の使用状態（例えば、深夜におけるベッドライトの長時間点灯）を検知した場合（Ｓ４５０，ＹＥＳ）、検知した外部機器３の子機１と、当該子機１に対応する応対者端末４へ警報メッセージ（例えば、“現在時刻は外部機器３の使用は禁止されている時間です”）を送信すると共に、警報メッセージを表示部２８に表示し（Ｓ４５１）、Ｓ４１０へ戻る。Ｓ４５０でＮＯであれば、Ｓ４５１をスキップしてＳ４１０へ戻る。
【００４５】
なお、Ｓ４５０における警報条件は、親機制御部２０内のメモリ（図示せず）に、予め登録されている。また、Ｓ４５１において、警報メッセージを表示した後、または警報メッセージを表示しないで、当該外部機器３への給電を停止する特定コマンドを、当該子機１へ送信するようにしてもよい。
【００４６】
以上、本発明の実施形態について説明した。本実施形態において、インターホン専用のシステムを例に説明したが、本発明システムは、ボタン電話システムや構内交換電話システムと複合した電話システムであってもよい。また、応対者端末４は、ボタン電話システムや構内交換電話システムの主装置と有線接続または無線接続される内線電話端末であってもよい。なお、インターホン子機１，インターホン親機２，応対者端末４の各通信プロトコルは、ＩＰ（Ｉｎｔｅｒｎｅｔ  Ｐｒｏｔｏｃｏｌ）対応であってもよい。
【００４７】
また、本実施形態において、インターホン子機１から外部機器３への給電は、直流給電を例に説明したが、これは交流給電であってもよい。特に、インターホン子機１が給電する電力を商用交流１００Ｖとし、給電コネクタ１４を一般的な電源コンセントの形状とすれば、給電能力の許容範囲内で一般的な電気機器を外部機器３として適用できる。その場合、例えば、インターホン子機１の給電制御部１３の内部に直流電圧を交流電圧に変換するインバータを挿入すればよい。  
【符号の説明】
【００４８】
１・・・本発明に係るインターホン子機
１０・・・子機制御部
１１・・・親機対応部
１２・・・受電部
１３・・・給電制御部
１４・・・給電コネクタ
１５・・・呼出ボタン
１６・・・復旧ボタン
１７・・・通話部
１８・・・表示部
２・・・本発明に係るインターホン親機
２０・・・親機制御部
２１・・・電源部
２２・・・電流計付給電制御部
２３・・・子機対応部
２４・・・給電スケジュール登録部
２５・・・応対者端末対応部
２６・・・音声信号処理部
２７・・・操作部
２８・・・表示部
３・・・外部機器
３０・・・スイッチ
３１・・・ダイオード
３２・・・ダイオード
４・・・応対者端末
４０・・・端末制御部
４１・・・通話部
４２・・・操作部
４３・・・表示部
【図１】
2015092647.tif 000003
【図２】
2015092647.tif 000004
【図３】
2015092647.tif 000005
【図４】
2015092647.tif 000006